【手続補正書】
【提出日】平成27年11月19日(2015.11.19)
【手続補正１】
【補正対象書類名】特許請求の範囲
【補正対象項目名】全文
【補正方法】変更
【補正の内容】
【特許請求の範囲】
【請求項１】
車両をターゲット目的地にナビゲートするよう構成された車両ナビゲーティングシステム内のデータを修正するデータ修正方法であって、
複数の目的地ならびに複数の道路についての位置情報を格納する地理情報データベースを提供するステップと、
車両の充電状態を検出するステップと、
前記車両の前記充電状態が、前記車両が充電スタンドに接続されかつ前記充電スタンドで充電中と示されるとき、前記車両の位置を記録するステップと、
前記車両の前記位置を使って前記地理情報データベース中から前記車両に近接する少なくとも１個の目的地を特定するステップと、
前記少なくとも1個の目的地を分析して前記充電スタンドが公的にアクセス可能かどうかを決定するステップと、
前記充電スタンドが公的にアクセス可能であるときだけ、前記車両の履歴プローブデータおよび前記車両の前記位置を使用して、前記地理情報データベース内の前記複数の道路のうちの１つの前記位置情報を更新するステップと、を備え、前記複数の道路のうちの前記１つが前記充電スタンドへのルートを提供する、データ修正方法。
【請求項２】
前記車両の前記履歴プローブデータは、全地球測位システム、加速度計および車輪パルスセンサのうち少なくとも１つから受信されるルートデータである、請求項１に記載のデータ修正方法。
【請求項３】
前記充電スタンドの前記位置情報を更新するステップは、前記車両が充電中であると前記車両の前記充電状態が示す場合、前記車両の前記位置を、中央コンピュータシステムに送信するステップを含む、請求項１に記載のデータ修正方法。
【請求項４】
前記ターゲット目的地が前記充電スタンドである場合に、前記地理情報データベース内の前記複数のターゲット目的地から、ユーザインターフェースを使用して、選択された前記ターゲット目的地の特定情報を受信するステップと、
前記車両の現在位置を特定するステップと、
前記地理情報データベースを使用して、前記車両の前記現在位置から前記ターゲット目的地までのルートを算出するステップと、
前記ユーザインターフェースを使用して、前記ルートを表示するステップと
を備える、請求項１に記載のデータ修正方法。
【請求項５】
前記車両の前記位置と前記地理情報データベースに格納された前記充電スタンドの位置との間の距離を決定するステップと、
前記距離が所定の閾値を超えるとき、前記地理情報データベース内の前記充電スタンドの前記位置情報を更新するステップを備える、請求項１に記載のデータ修正方法。
【請求項６】
ナビゲーションシステムであって、
複数の目的地ならびに複数の道路についての位置情報を格納するよう構成された地理情報データベースと、
車両の充電状態を検出するよう構成された車両センサと、
前記地理情報データベースおよび前記車両センサと通信するプロセッサと
を備え、
前記プロセッサは、
前記車両の前記充電状態が充電中であることを示す場合、前記車両の位置を記録すると共に、前記車両の前記位置と前記地理情報データベース内の充電スタンドの位置との間の距離を決定し、
前記車両の前記位置と前記充電スタンドの前記位置との間の前記距離が所定の閾値を超える場合で、前記車両の前記充電状態が充電中であることを示すときに、前記車両の前記位置を使用して前記地理情報データベース内の前記充電スタンドの前記位置情報を更新し、
前記車両の履歴プローブデータおよび前記車両の前記位置を使用して、前記地理情報データベース内の前記複数の道路のうちの１つの前記位置情報を更新する、よう構成されており、前記複数の道路のうちの前記１つは前記充電スタンドまでのルートを提供する、ナビゲーションシステム。
【請求項７】
前記車両の前記履歴プローブデータは、全地球測位システム、加速度計および車輪パルスセンサのうち少なくとも１つから受信されるルートデータである、請求項６に記載のナビゲーションシステム。
【請求項８】
前記プロセッサは、前記車両が充電中であることを前記車両の前記充電状態が示す場合に、中央コンピュータシステムに対する前記車両の前記位置の送信を行わせるよう構成される、請求項６に記載のナビゲーションシステム。
【請求項９】
前記プロセッサは、前記地理情報データベース内の前記複数のターゲット目的地から、ユーザインターフェースを使用して、選択されたターゲット目的地の特定情報を受信し、
前記車両の現在位置を特定し、
前記地理情報データベースを使用して、前記車両の前記現在位置から、前記ターゲット目的地までのルートを算出し、
前記ユーザインターフェースを使用して、前記ルートを表示する、よう構成された、請求項６に記載のナビゲーションシステム。
【請求項１０】
前記プロセッサは、前記充電スタンドが公共の充電スタンドであるかどうかを判断すると共に、前記充電スタンドが公共の充電スタンドである場合にのみ、前記地理情報データベース内の前記充電スタンドの前記位置情報の更新を行うよう構成された、請求項６に記載のナビゲーションシステム。
【請求項１１】
プロセッサで使用可能な、コンピュータ可読プログラムコードを有する非一時的コンピュータプログラム製品であって、
複数の目的地ならびに複数の道路についての位置情報を格納する地理情報データベースを提供するコンピュータ可読プログラムコードと、
車両の充電状態を検出するコンピュータ可読プログラムコードと、
前記車両の前記充電状態が充電中であることを示す場合、前記車両の位置を記録するコンピュータ可読プログラムコードと、
前記車両の前記充電状態が充電中であることを示している場合に、前記車両の前記位置を使用して、前記地理情報データベース内の充電スタンドの前記位置情報を更新するコンピュータ可読プログラムコードと、
前記車両の前記履歴プローブデータおよび前記車両の前記位置を使用して前記地理情報データベース内の前記複数の道路のうちの１つ前記位置情報を更新するコンピュータ可読プログラムコードと、を備え、
前記複数の道路のうちの前記１つは、前記充電スタンドまでのルートを提供する、
非一時的コンピュータプログラム製品。
【請求項１２】
前記車両の前記履歴プローブデータは、全地球測位システム、加速度計、および車輪パルスセンサのうち少なくとも１つから受信されるルートデータである、請求項１１に記載の非一時的コンピュータプログラム製品。
【請求項１３】
前記充電スタンドの前記位置を更新することは、前記車両が充電中であることを前記車両の前記充電状態が示す場合に、前記車両の前記位置を、中央コンピュータシステムに送信することを含む、請求項１１に記載の非一時的コンピュータプログラム製品。
【請求項１４】
前記地理情報データベース内の前記複数のターゲット目的地から、ユーザインターフェースを使用して、選択されたターゲット目的地の特定情報を受信するコンピュータ可読プログラムコードと、
前記車両の現在位置を特定するコンピュータ可読プログラムコードと、
前記地理情報データベースを使用して、前記車両の前記現在位置から、前記ターゲット目的地へのルートを算出するコンピュータ可読プログラムコードと、
前記ユーザインターフェースを使用して、前記ルートを表示するコンピュータ可読プログラムコードと
を備える、請求項１１に記載の非一時的コンピュータプログラム製品。
【請求項１５】
前記充電スタンドが、公共の充電スタンドであるかどうかを判断するコンピュータ可読プログラムコードと、
前記充電スタンドが公共の充電スタンドである場合にのみ、前記地理情報データベース内の前記充電スタンドの前記位置を更新するコンピュータ可読プログラムコードと
を備える、請求項１１に記載の非一時的コンピュータプログラム製品。